(57)【要約】【課題】回収装置の構成を簡略化するとともに、液体上に浮遊する油を付着させる捕捉体および捕捉体に付着した油を分離回収する分離手段の耐久性および油の回収効率の向上を図った油回収装置を提供する。【解決手段】一定の長さを有する捕捉体７を鉛直方向に上下動させ、捕捉体７を下降させて液体の浮遊油を捕捉体７に付着させ、捕捉体７を液体面の上方に上昇させて、付着した浮遊油を分離手段１１で離脱させて回収する油回収装置であって、前記捕捉体７を液体面の上方に上昇させるときは、捕捉体７に分離手段１１の分離部材を接触させて付着した浮遊油を回収し、捕捉体７を下降させるときは、捕捉体７と分離部材を離して非接触とすることを特徴とするものである。【選択図】図１
2009136828.tif 000002
【特許請求の範囲】
【請求項１】
一定の長さを有する捕捉体を鉛直方向に上下動させ、捕捉体を下降させて液体の浮遊油を捕捉体に付着させ、捕捉体を液体面の上方に上昇させて、付着した浮遊油を分離手段で離脱させて回収する油回収装置であって、前記捕捉体を液体面の上方に上昇させるときは、捕捉体に分離手段の分離部材を接触させて付着した浮遊油を回収し、捕捉体を下降させるときは、捕捉体と分離部材を離して非接触とすることを特徴とする油回収装置。
【請求項２】
分離手段は、捕捉体に接触する少なくとも二つの分離部材を有し、捕捉体を下降させるときは、少なくとも一方の分離部材を前記捕捉体から離れる方向に移動させて、捕捉体と分離部材を非接触とすることを特徴とする請求項１に記載の油回収装置。
【請求項３】
分離手段の分離部材は、捕捉体の上下動にともなって回転することを特徴とする請求項１または２に記載の油回収装置。
【請求項４】
分離手段の分離部材は、捕捉体に接触する圧力を調節可能としたことを特徴とする請求項１〜３のいずれか１項に記載の油回収装置。
【発明の詳細な説明】
【技術分野】
【０００１】
本発明は、液面部に浮遊する油を液体と分離して回収する油回収装置に関するものである。
【背景技術】
【０００２】
地下土壌中へ流出、漏洩した原油、重油、軽油等の油は、土壌中の地下水帯を介して拡散し、これらによる汚染が広がる恐れがあり、簡略化された装置で効率的に回収することが望まれている。また、加工機械での使用時に切削液と加工油が用いられるが、これらを例えば床下や地下のタンクに貯留し、加工油を分離回収する必要がある。従来これらの課題の解決手段として下記のものが知られている。
【０００３】
汚染物質の除去装置で、帯状吸着体と、走行駆動部と、離脱回収部とを有している。帯状吸着体は、複数のローラ間に無端状に捲回されていて、掘削孔の下端側と地上との間に循環走行するようになっている。走行駆動部は、地上側に設置され、トップローラに軸連結されたモータと、モータの駆動源とを備えている。離脱回収部は、地上側に設置され、挟圧ローラと、回収槽とから構成されている。挟圧ローラは、トップローラの下方に設置され、トップローラとともに循環走行する吸着体を挟圧して、吸着体の吸着マットに吸着保持されている油類を絞ることにより離脱させる（例えば、特許文献１参照）。
【０００４】
また、移動用車輪を備えて床の上を移動可能な台車に、無端ベルトを回転自在な状態で吊り下げ、この台車に無端ベルトを回転させる回転装置と無端ベルトに付着したオイルを無端ベルトから回収する回収装置とを設けるとともに、無端ベルトを使用しない時には無端ベルトを台車上に引き上げて収容するベルト収容装置を設ける。タンク内の液面のレベルはタンク毎に異なる場合があるので、テンションプーリが液面の下に沈むようにアジャストローラの上下位置を調整する。アジャストローラの上下位置は、レベル調整ハンドルを掛ける溝を替えることで調整する。すなわち、これらアジャストローラ、レベル調整ハンドル及び複数の溝により、ベルトが台車から垂れ下がる深さを調整する調整装置が構成されている（例えば、特許文献２参照）。
【０００５】
回転駆動自在な駆動ローラと、この駆動ローラによって駆動されるベルトを介して駆動ローラに吊下されたウエイトローラと、当該ベルトの下降側軌道においてその掻き取り部がベルトと接触する掻き取り部材とを備え、前記ベルトのウエイトローラ側を第１液体に浸した状態で駆動ローラを回転させて、第１液体表面に浮上している第２液体を前記ベルトに付着させ、さらにこのベルトに付着した第２液体を前記掻き取り部材によって掻き取る如く構成した浮上油の除去装置において、前記ベルトに付着した第２液体を毛細管現象により吸引する吸引体が前記掻き取り部材に設けられている。ベルトに付着した第２液体を毛細管現象により吸引する吸引体が掻き取り部材に設けられているので、その第２液体が低粘度の液体であっても第２液体の表面張力および毛細管現象により吸引されてベルトから分離される。油タンクの側壁に、適宜の補助取付板を介して、取付用ステイをボルト、ナット等の固定部材で固定する。この場合、取付用ステイの長孔を利用して取り付け高さの調節を行い、ウエイトローラ切削油内に没するようにする（例えば、特許文献３参照）。
【０００６】
一定の長さを有する捕捉体を鉛直方向に上下動させる。この捕捉体が下降したときには、液体の浮遊油を捕捉体に付着させる。そして、この捕捉体が液体面の上方に上昇したときには、付着した浮遊油を分離手段で離脱させて回収する（例えば、特許文献４参照）。
【特許文献１】特開平１０−３１４７１４号公報
【特許文献２】特開２００４−８９６４号公報
【特許文献３】登録実用新案第３００５７１２号公報
【特許文献４】特開２００６−２８９３１４号公報
【発明の開示】
【発明が解決しようとする課題】
【０００７】
しかしながら、前記した特許文献１、２、３に記載されたものは、無端状のベルト（吸着体）を用い、複数のローラで支持し、循環走行するよう回転駆動されている。従って構造が複雑で、大型となる。また循環走行することによって騒音が大きくなりやすく、無端状のベルトの耐久性、駆動動力が大きくなる課題がある。さらに油が浮遊する液面と無端状のベルトから油を分離、離脱させる手段との距離は、状況によって様々であり、これに対応させることが困難である。すなわち無端状のベルトの長さを変えるために都度交換する必要があり、汎用性、メンテナンス性に課題がある。さらに特許文献２ではアジャストローラの上下位置を調整して、前記した距離を変更するようにし、また特許文献３では、駆動ローラ２を固定する取付用ステイの高さをボルト、ナットで変更するようにしたものであるが、段階的であり、大きく調整することができない。
【０００８】
さらに特許文献１、２、３に記載されたものは、無端状のベルトに分離、離脱させる手段を常に接触させた状態で油の回収運転を行うため、前記無端状のベルト、分離、離脱させる手段の耐久性、駆動手段の電力消費による省エネルギー性に課題がある。
【０００９】
また、特許文献４に記載されたものは、一定の長さを有する捕捉体を鉛直方向に上下動させる。この捕捉体が下降したときには、液体の浮遊油を捕捉体に付着させる。そして、この捕捉体が液体面の上方に上昇したときには、付着した浮遊油を分離手段で離脱させて回収するものである。これによって、回収装置の構成を簡略化して低騒音、耐久性の向上を図るとともに、油が浮遊する液面の位置等の様々な状況に任意に対応させることができる。
【００１０】
しかしながら、捕捉体に分離手段を常に接触させて回収運転を行うため、特許文献１、２、３に記載されたものと同様に、捕捉体、分離手段の耐久性に課題がある。さらに捕捉体を下降させるとき、この捕捉体表面に残っている油が分離手段により周囲に飛散しやすく、装置内の一部に付着して定期的なメンテナンスを必要としていた。
【００１１】
また、捕捉体を下降させるとき、捕捉体と分離手段が接触していることによる摺動抵抗により、捕捉体の下降速度を一定以上に早めることができない。したがって捕捉体の上下動のサイクル数を多くすることに限界があり、単位時間当たりの油の回収効率に課題がある。捕捉体に設けた錘の質量を大きくして捕捉体の下降をよりスムーズにする手段もあるが、捕捉体を上昇させるときの駆動力が増加し、省エネルギー性に課題がある。
【００１２】
本発明は、前記従来の課題を解決するもので、回収装置の構成を簡略化するとともに、液体上に浮遊する油を付着させる捕捉体および捕捉体に付着した油を分離回収する分離手段の耐久性および油の回収効率の向上を図った油回収装置を提供することを目的とするものである。
【課題を解決するための手段】
【００１３】
前記従来の課題を解決するために、本発明の油回収装置は、一定の長さを有する捕捉体を鉛直方向に上下動させ、捕捉体を下降させて液体の浮遊油を捕捉体に付着させ、捕捉体を液体面の上方に上昇させて、付着した浮遊油を分離手段で離脱させて回収する油回収装置であって、前記捕捉体を液体面の上方に上昇させるときは、捕捉体に分離手段の分離部材を接触させて付着した浮遊油を回収し、捕捉体を下降させるときは、捕捉体と分離部材を離して非接触とすることを特徴とするものである。
【発明の効果】
【００１４】
本発明の油回収装置によれば、回収装置の構成を簡略化するとともに、液体上に浮遊する油を付着させる捕捉体および捕捉体に付着した油を分離回収する分離手段の耐久性および油の回収効率、メンテナンス性の向上を図ることができる。
【発明を実施するための最良の形態】
【００１５】
第１の発明は、一定の長さを有する捕捉体を鉛直方向に上下動させ、捕捉体を下降させて液体の浮遊油を捕捉体に付着させ、捕捉体を液体面の上方に上昇させて、付着した浮遊油を分離手段で離脱させて回収する油回収装置であって、前記捕捉体を液体面の上方に上昇させるときは、捕捉体に分離手段の分離部材を接触させて付着した浮遊油を回収し、捕捉体を下降させるときは、捕捉体と分離部材を離して非接触とすることを特徴とする油回収装置としたものである。
【００１６】
これによって、回収装置の構成を簡略化するとともに、液体上に浮遊する油を付着させる捕捉体および捕捉体に付着した油を分離回収する分離手段の耐久性および油の回収効率、メンテナンス性の向上を図ることができる。
【００１７】
第２の発明は、第１の発明において、分離手段は、捕捉体に接触する少なくとも二つの分離部材を有し、捕捉体を下降させるときは、少なくとも一方の分離部材を前記捕捉体から離れる方向に移動させて、捕捉体と分離部材を非接触とすることを特徴とする油回収装置としたものである。
【００１８】
これによって、簡単な構成により捕捉体と分離部材を非接触とすることができる。
【００１９】
第３の発明は、第１または第２の発明において、分離手段の分離部材は、捕捉体の上昇にともなって回転することを特徴とする油回収装置としたものである。
【００２０】
これによって、捕捉体と分離手段の分離部材の摺動抵抗を減少させ、捕捉体を上昇させるときの駆動力を少なくしてより省エネルギー化を図ることができる。
【００２１】
第４の発明は、第１〜第３のいずれかの発明において、分離手段の分離部材は、捕捉体に接触する圧力を調節可能としたことを特徴とする油回収装置としたものである。
【００２２】
これによって、捕捉体を上昇させるときの駆動力および分離手段の分離部材による捕捉体からの油の分離能力を最適条件に設定することができる。
【実施例】
【００２３】
以下、本発明の一実施例の油回収装置を図１〜図７を参照しながら説明する。図１は本発明の一実施例の油回収装置の一部側断面図、図２（ａ）（ｂ）は図１中の捕捉体と分離手段部の要部側断面図、図３、図４、図５、図６は他の捕捉体の構成を示す斜視図、図７は本発明の他の油回収装置の一部側断面図である。
【００２４】
図１、図２において、筺体１の内部に固定板２を有し、固定板２上には巻取部３ａを有する回転体３を設け、回転体３はギアードモータ（駆動手段）５によって正逆に回転駆動されるものである。回転体３に対向して、回転体３の回転数または回転角度を検出する近接センサ、磁気センサ、光センサ等を用いた検出手段４を設け、前記検出手段４とギアードモータ（駆動手段）５を接続した制御手段６を設けている。制御手段６により回転体３の正逆の回転駆動制御を行う。巻取部３ａに捕捉体である屈曲性を有するワイヤー（捕捉体）７の一端が連設され、他端部には錘８が装着されている。前記回転体３、ギアードモータ（駆動手段）５で上下動手段を構成しているものである。なお前記駆動手段であるギアードモータ５は、ステッピングモータであってもよい。
【００２５】
筺体１の筒状体９の内側に通路１０を構成し、この通路１０に捕捉体であるワイヤー７が挿入されている。またワイヤー７に付着した油を離脱させる分離手段１１を固定板２上に固定している。分離手段１１は、回転軸１３を有する断面が円形状の分離部材１２、分離部材１２と対向する位置に回転軸１５を有する断面が円形状の分離部材１４、分離部材１４の回転軸１５の両端部に連接した連結部材１６、連結部材１６を介して分離部材１４を移動させる制御手段６に接続したソレノイド１７（分離部材移動手段）、分離部材１２の回転軸１３の両端部およびソレノイド１７を支持する保持部材（図示せず）を備えている。また分離部材１２、１４の間にワイヤー７を位置させている。分離部材１２、１４はワイヤー７の全周に圧接して接触するように、少なくとも表面部をゴム等の弾性を有する材料で構成している。
【００２６】
図２（ａ）は、ソレノイド１７を非通電として分離部材１２と分離部材１４とを所定寸法離して、分離部材１２、１４とワイヤー７が非接触な状態を示す。また図２（ｂ）は、ソレノイド１７に通電し、連結部材１６を介して分離部材１４を移動させワイヤー７に分離部材１２、１４が接触した状態を示す。
【００２７】
分離部材１２、１４の下方には、分離部材１２、１４で離脱させた落下する油を受けて案内筒２０に導く固定板２に固定したガイド１９を設けている。案内筒２０から回収容器２１に油を回収して貯留する。
【００２８】
筺体１の下部の地下土壌２２、地下水帯２３を掘削してこの掘削穴に筒状体２４を挿入し、通路２５を構成させている。なお地下水帯２３に位置する筒状体２４の下部は地下水、浮遊油が十分入り込み、また通過できるように多数の孔、スリット（図示なし）が形成されている。筒状体９の内側に通路１０と、筒状体２４の内側の通路２５は同軸状になるように設置されているものである。ワイヤー７は、通路１０、通路２５のほぼ中央部に位置させている。通路１０、通路２５の内径は例えば約５０ミリメートルでよい。
【００２９】
また、図３は前記捕捉体であるワイヤー７を複数本で構成した例を示し、図４は多数の円筒体または球状体２６をワイヤー７に通して捕捉体を構成したものである。図５はワイヤー７に植毛等の手段により線状付着体２７を付加させたもので、図６は一定の巾を有するシート２８で捕捉体を構成したものである。
【００３０】
次に、本実施例における油回収運転の基本的な動作を説明する。駆動手段であるギアードモータ５を駆動し回転体３を回転させて、回転体３の巻取部３ａに巻き取られている捕捉体であるワイヤー７を、通路１０、通路２５に錘８を下端として地下水帯２３に到達するよう鉛直方向に下降させ吊り下げる。このとき地下水帯２３の液面に浮遊している油に接触して、ワイヤー７の表面に浮遊油が付着する。
【００３１】
錘８が地下水帯２３の下部に到達した位置を制御手段６で記憶し、設置条件として設定する。またワイヤー７を下降させるときは、ソレノイド１７を非通電として分離部材１２と分離部材１４とを所定寸法離して、分離部材１２、１４とワイヤー７が非接触な状態となっている。
【００３２】
次に、回転体３を逆回転させて巻取部３ａにワイヤー７を巻取り、上方に移動させる。このときにもワイヤー７が地下水帯２３の液面に浮遊している油に順次接触して、ワイヤー７の表面に浮遊油が付着する。回転体３を逆回転させてワイヤー７を上昇させると同時に、ソレノイド１７に通電し、連結部材１６を介して分離部材１４を移動させワイヤー７に分離部材１２、１４を接触させる。なお分離部材１４をソレノイド１７により移動させるようにしたが分離部材１２、１４の両方を移動するようにしてもよい。
【００３３】
なお、分離手段１１の分離部材１２、１４は、回転軸１３、１５を中心として回転自在に構成されている。これによってワイヤー７の上昇にともない分離部材１２、１４が回転するものである。また分離部材１４は、ソレノイド１７に通電時、連結部材１６を介して分離部材１２側に移動させワイヤー７に分離部材１２、１４を接触させるが、ソレノイド１７による連結部材１６の移動距離または連結部材１６の長さを調節することで、分離部材１４の分離部材１２への押圧力を変え、少なくとも表面部をゴム等の弾性を有する材料で構成した分離部材１２、１４がワイヤー７に接触する圧力を調節可能とするものである（図示なし）。
【００３４】
ワイヤー７の上昇により、ワイヤー７に付着した油は、分離部材１２、１４で削ぎ落とされワイヤー７から分離して落下する。これを傾斜したガイド１９で受けて案内筒２０に流動させ、回収容器２１に油を回収する。このワイヤー７の下降と上昇の上下動のサイクルを繰り返し、浮遊油を回収するものである。
【００３５】
従来技術においては、油を付着させる無端状のベルトを複数のローラで支持し、循環走行するよう回転駆動されている。したがって構造が複雑で大型となり、コスト高となる。また循環走行することによって騒音が大きく、ベルトの耐久性、必要な駆動動力が大きくなる等の点でも課題がある。これに対して本発明の実施例においては、捕捉体であるワイヤー７を鉛直方向に上下動させるので、回収装置の構成を簡略化させるとともに、低騒音化、耐久性の向上を図ることができる。
【００３６】
また、捕捉体であるワイヤー７を回転体３に巻装し、前記回転体３の駆動手段であるギアードモータ５を正逆回転に制御することによって、前記ワイヤー７を簡単な手段で精度よく上下動させさせることができ、さらに回転体３の回転速度を変えることでワイヤー７の上下動の周期を調節することもできる。
【００３７】
さらに、油の浮遊する液面と油を分離、離脱させる分離手段との距離は、状況によって様々であり、これに対応させるため従来は、ベルトの交換、または機構的な手段による上下距離の調節を行っていたが、都度メンテナンスが必要で、上下距離の調節巾も大きく取れない。これに対して本実例によれば、回転体３の駆動手段の正逆の回転方向への回転数または回転角度を制御することによって、捕捉体であるワイヤー７の上下動させる移動距離を簡単に設定することができ、地上から地下水帯２３部までの距離差、すなわち油の浮遊する液面と油を分離、離脱させる分離手段１１との距離の差の状況に簡単に対応せるこができる。
【００３８】
また、地上から地下水帯２３に達するように掘削して通路を形成し、前記通路内で捕捉体であるワイヤー７を鉛直方向に上下動させ、地下水の浮遊油を回収することによって、回収装置を簡略化させるとともに、低騒音化、耐久性の向上を図ることができる。特に、騒音を著しく低下させ、さらに回転体３の大きな駆動動力を必要とせず、耐久性にも優れていることで、昼夜運転しても騒音公害を引き起こさず、また省エネルギー化を図ることができる。
【００３９】
また、従来は液中に無端ベルトを常時挿入し、かつ無端ベルトの下端部に回転ローラを設ける必要があり、これによって、前記ローラの挿入、他への接触防止のために通路のサイズを大きくする必要がある。従って地中の掘削に大きな動力、設備および手間を要する課題がある。これに対して本実施例によれば、捕捉体であるワイヤー７の下端部には回転ローラを設ける必要がない。これによって通路１０の径を小さくでき地中の掘削に大きな動力、設備を必要とせず作業を簡単に行うことができる。
【００４０】
また、図３に示した前記捕捉体は、ワイヤー７を複数本で構成したもの、図４に示した多数の円筒体または球状体２６をワイヤー７に通して構成したもの、図５に示したワイヤー７に植毛等の手段により線状付着体２７を付加させたもので構成してもよく、この場合には通路１０、通路２５の径を大きくすることなく、浮遊油をより多く付着させて回収効率を向上させることがでる。
【００４１】
図６に示した前記捕捉体は、一定の巾を有するシート２８で捕捉体を構成したもので、特に地下水帯２３まで細長状の穴、比較的大きな井戸を掘削可能な場合に用いることによって、浮遊油をより多く付着させて回収効率を向上させることがでる。前記したシート２８は、屈曲性を有する板、繊維で編組したもの等で構成すればよい。従来技術においては、無端状のベルトを複数のローラで支持し、循環走行するよう回転駆動されているため、ローラに接触しない側のベルトの片面に油を付着させる必要がある。これに対して本発明の実施例においては、一定の巾を有するシート２８の両面に浮遊油を付着させ、付着した浮遊油を分離手段１１で離脱させて回収するものであり、従来技術に比べ回収効率を著しく向上させることがでる。またワイヤー７、シート２８の捕捉体は、屈曲性を有し下端部に錘を設けたことによって、常に鉛直方向を維持して安定した上下動をさせることができる。
【００４２】
さらに、前記したように従来は、捕捉体であるワイヤー７に分離手段１１の分離部材１２、１４を常に接触させて回収運転を行うため、ワイヤー７、分離手段１１の分離部材１２、１４の耐久性、捕捉体を鉛直方向に上下動させる駆動手段の電力消費による省エネルギー性に課題がある。さらに捕捉体を下降させるとき、このワイヤー７の表面に残っている油が分離手段１１の分離部材１２、１４により周囲に飛散しやすく、装置内の一部に付着して定期的なメンテナンスを必要としていた。
【００４３】
また、ワイヤー７を下降させるとき、ワイヤー７と分離手段１１の分離部材１２、１４が接触していることによる摺動抵抗により、ワイヤー７の下降速度を一定以上に早めることができない。したがってワイヤー７の上下動のサイクル数を多くすることに限界があり、単位時間当たりの油の回収効率に課題がある。ワイヤー７に設けた錘の質量を大きくしてワイヤー７の下降をよりスムーズにする手段もあるが、ワイヤー７を上昇させるときの駆動力が増加し、省エネルギー性に課題がある。
【００４４】
これに対して本発明の実施例においては、ワイヤー７を液体面の上方に上昇させるときは、ワイヤー７に分離手段１１の分離部材１２、１４を接触させて付着した浮遊油を回収し、ワイヤー７を下降させるときは、ワイヤー７と分離部材１２、１４を離して非接触とするものである。
【００４５】
これによって、ワイヤー７と分離部材１２、１４との接触時間を半減させ、液体上に浮遊する油を付着させるワイヤー７およびワイヤー７に付着した油を分離回収する分離手段１１の分離部材１２、１４の耐久性の向上を図ることができる。
【００４６】
また、ワイヤー７を下降させるとき、ワイヤー７と分離手段１１の分離部材１２、１４は接触していないので摺動抵抗が無く、ワイヤー７の下降速度を早めることができる。したがってワイヤー７の上下動のサイクル数を多くすることができ、単位時間当たりの油の回収効率を向上させることができる。
【００４７】
さらに、ワイヤー７を下降させるとき、このワイヤー７表面に残っている油が分離手段１１の分離部材１２、１４により周囲に飛散せず、装置内の油の拭き取り等のメンテナンスを必要としない。
【００４８】
また、分離手段１１のワイヤー７に接触させる分離部材１２、１４の少なくとも一方の分離部材１４をワイヤー７から離れる方向に移動させて、ワイヤー７と分離部材１２、１４を非接触とすることができる。これによって、簡単な構成によりワイヤー７と分離部材を非接触状態とすることができる。
【００４９】
また、分離手段１１の分離部材１２、１４は、ワイヤー７の上昇にともなって回転するようにすることによって、ワイヤー７と分離手段１１の分離部材１２、１４の摺動抵抗を減少させ、ワイヤー７を上昇させるときの駆動力を少なくしてより省エネルギー化を図ることができる。
【００５０】
さらに、分離手段１１の分離部材１２、１４は、ワイヤー７に接触する圧力を調節可能とすることによって、ワイヤー７を上昇させるときの駆動力および分離手段１１の分離部材１２、１４によるワイヤー７からの油の分離能力を最適条件に設定することができる。
【００５１】
なお、屈曲性を有する捕捉体であるワイヤー７、シート２８の下端部が地下水帯、井戸、容器等の区画領域の底部に接触した後も、さらにワイヤー７、シート２８を一定距離下降させてから上昇させるようにしてもよく、これによってワイヤー７、シート２８の油の付着する長さを増加させてより効率的な回収を図ることができる。また、分離手段１１は断面が円形状としたが、これに限定されるものではなく板状体であってもよい。
【産業上の利用可能性】
【００５２】
液体上に分離して浮遊する付着性物質を回収する分野への用途にも適用できる。
【図面の簡単な説明】
【００５３】
【図１】本発明の一実施例の油回収装置の一部側断面図
【図２】（ａ）（ｂ）図１中の捕捉体と分離手段部の要部側断面図
【図３】他の捕捉体の構成を示す斜視図
【図４】他の捕捉体の構成図
【図５】他の捕捉体の構成図
【図６】他の捕捉体の構成図
【符号の説明】
【００５４】
１    筺体
２    固定板
３    回転体
３ａ  巻取部
４    検出手段
５    ギアードモータ（駆動手段）
６    制御手段
７    ワイヤー（捕捉体）
８    錘
９    筒状体
１０  通路
１１  分離手段
１２  分離部材
１３  回転軸
１４  分離部材
１５  回転軸
１６  連結部材
１７  ソレノイド（分離部材移動手段）
１９  ガイド
２０  案内筒
２１  回収容器
２２  地下土壌
２３  地下水帯
２４  筒状体
２５  通路
２６  球状体（捕捉体）
２７  線状付着体（捕捉体）
２８  シート（捕捉体）
【図１】
2009136828.tif 000003
【図２】
2009136828.tif 000004
【図３】
2009136828.tif 000005
【図４】
2009136828.tif 000006
【図５】
2009136828.tif 000007
【図６】
2009136828.tif 000008